(57)【要約】【課題】自走式土木・建設機械に於いて、延長コンベヤを設置するに際し、延長コンベヤに対して簡単に動力を供給できるようにして、設置作業を簡素化する。【解決手段】排出コンベヤの油圧ライン２０，２１は第１の油圧モータ１６の側近に油圧カプラ２３ａ，２３ｂを介装して脱着自在に形成する。延長コンベヤを駆動する第２の油圧モータ３１の油圧ライン３７，３８の端末に油圧カプラ３９ａ，３９ｂを装着し、前記排出コンベヤの油圧カプラ２３ａ，２３ｂに接続可能に形成する。延長コンベヤを使用する際は、双方の油圧ラインを油圧カプラ２３ａ，３９ｂ及び３９ａ，２３ｂにて接続し、第１の油圧モータ１６と第２の油圧モータ３１とを直列に接続して、同一の油圧ポンプ１８から双方の油圧モータ１６，３１へ圧油を供給する。【選択図】  図３
2004150149.tif 000002
【特許請求の範囲】
【請求項１】
第１の油圧モータによって駆動される排出コンベヤを備えた自走式土木・建設機械であって、該自走式土木・建設機械の排出コンベヤに追加される延長コンベヤに於いて、前記延長コンベヤは第２の油圧モータによって駆動され、該第２の油圧モータに圧油を給排する油圧ラインの端末に油圧カプラを装着し、一方、前記排出コンベヤの油圧ラインは第１の油圧モータの側近に介装された油圧カプラにて脱着可能に形成されたことを特徴とする自走式土木・建設機械の延長コンベヤ。
【請求項２】
前記第１の油圧モータと第２の油圧モータとは略同一の排油量に設定され、排出コンベヤの搬送距離を延長する場合は、第１の油圧モータの側近に介装された油圧カプラを離脱して前記延長コンベヤの油圧ラインに接続し、第１の油圧モータと第２の油圧モータとを直列に接続して使用される請求項１記載の自走式土木・建設機械の延長コンベヤ。
【発明の詳細な説明】
【０００１】
【発明の属する技術分野】
本発明は自走式土木・建設機械の延長コンベヤに関するものであり、特に、油圧モータによって駆動される延長コンベヤに関するものである。
【０００２】
【従来の技術及び発明が解決しようとする課題】
従来、土質改良機や破砕機等の自走式土木・建設機械はエンジンにより油圧ポンプを駆動し、該油圧ポンプの圧油によって油圧モータを回転して土質改良機または破砕機に装着された搬送コンベヤ及び排出コンベヤを動かしている。しかし、工事現場によっては搬送部分を延長できる可搬式搬送コンベヤ（例えば、特許文献１参照）や排出コンベヤの後工程に解砕コンベヤ（例えば、特許文献２参照）等の延長コンベヤを追加して搬送距離を延長し、自走式土木・建設機械から離れた場所からの土砂の搬入及び離れた場所への解砕・改良土の搬送を可能にしている。
【０００３】
【特許文献１】
特開２００２−９７６６３号公報（第１０頁  段落番号００８１、図１２）
【０００４】
【特許文献２】
特開２００２−２５３９８０号公報（第７−９頁、図１）
しかし、土質改良機本体に装着された搬送コンベヤと排出コンベヤは油圧ポンプからの圧油が方向・流量制御弁を介して搬送コンベヤ用油圧モータ及び排出コンベヤ用油圧モータに導かれ駆動される（特許文献１第７頁  段落番号００５０）が、前記可搬式搬送コンベヤや解砕コンベヤ等の延長コンベヤに備えられたモータは別の動力源にて駆動されるため、配管が複雑となってコスト高になるとともに設置作業が煩雑であった。また、元のコンベヤと延長コンベヤの搬送速度が異なることがあり、作業性が良好ではなかった。
【０００５】
そこで、自走式土木・建設機械に於いて、延長コンベヤを設置するに際し、延長コンベヤに対して簡単に動力を供給できるようにして、設置作業を簡素化するために解決すべき技術的課題が生じてくるのであり、本発明はこの課題を解決することを目的とする。
【０００６】
【課題を解決するための手段】
本発明は上記目的を達成するために提案されたものであり、第１の油圧モータによって駆動される排出コンベヤを備えた自走式土木・建設機械であって、該自走式土木・建設機械の排出コンベヤに追加される延長コンベヤに於いて、前記延長コンベヤは第２の油圧モータによって駆動され、該第２の油圧モータに圧油を給排する油圧ラインの端末に油圧カプラを装着し、一方、前記排出コンベヤの油圧ラインは第１の油圧モータの側近に介装された油圧カプラにて脱着可能に形成された自走式土木・建設機械の延長コンベヤ、
及び、前記第１の油圧モータと第２の油圧モータとは略同一の排油量に設定され、排出コンベヤの搬送距離を延長する場合は、第１の油圧モータの側近に介装された油圧カプラを離脱して前記延長コンベヤの油圧ラインに接続し、第１の油圧モータと第２の油圧モータとを直列に接続して使用される自走式土木・建設機械の延長コンベヤを提供するものである。
【０００７】
【発明の実施の形態】
以下、本発明の一実施の形態を図面に従って詳述する。図１は自走式土木・建設機械の一例として自走式破砕機（以下、単に破砕機という）１０を示し、下部走行体１１の上部にフレーム１２を載置し、該フレーム１２の略中央部に破砕装置１３が設けられている。この破砕装置１３は上部に設けたホッパ１４から採石等の材料を投入し、該破砕装置１３によって細かく破砕された材料を、破砕装置１３の下部に設けた排出コンベヤ１５により破砕機１０の外へ排出するように構成されている。この排出コンベヤ１５は第１の油圧モータ１６によって駆動される。
【０００８】
図２（ａ）は第１の油圧モータ１６の油圧回路図であり、前記破砕機１０に搭載されたエンジン１７によって油圧ポンプ１８が回転する。この油圧ポンプ１８から吐出された圧油は、方向制御弁１９を介して第１の油圧モータ１６の油圧ライン２０若しくは２１へ供給される。
【０００９】
前記方向制御弁１９は４ポート３位置の電磁式切替弁であり、図示した中立位置では油圧ポンプ１８からのＰポートとタンクへのＴポートが連通しており、前記油圧ライン２０のＡポートと油圧ライン２１のＢポートは閉止されている。従って、前記方向制御弁１９が中立位置では、油圧ポンプ１８の吐出油はタンク２１に戻されて、第１の油圧モータ１６は回転しない。
【００１０】
ここで、前記油圧ライン２０若しくは２１は、第１の油圧モータ１６の側近に油圧カプラが介装されている。本実施の形態では第１の油圧モータ１６の側近で油圧ライン２１の途中に油圧カプラ２３を介装してある。通常の使用時は、図示したように一方の油圧カプラ（雄側）２３ａと他方の油圧カプラ（雌側）２３ｂとが接続されて直結状態であり、前記第１の油圧モータ１６の一方のポートは油圧ライン２０にて方向制御弁１９に接続され、前記第１の油圧モータ１６の他方のポートは油圧カプラ２３を介して直結された油圧ライン２１にて方向制御弁１９に接続されている。
【００１１】
いま、オペレータの操作に基づきコントローラや操作スイッチ（何れも図示せず）からの信号で、前記方向制御弁１９の一方のソレノイド２４が励磁されれば、前記方向制御弁１９が中立位置から（イ）位置に切り替わり、油圧ポンプ１８から吐出された圧油が油圧ライン２０に供給されて、第１の油圧モータ１６が正転駆動される。これに対して、前記方向制御弁１９の他方のソレノイド２５が励磁されれば、前記方向制御弁１９が中立位置から（ロ）位置に切り替わり、油圧ポンプ１８からの圧油が油圧ライン２１に供給されて、第１の油圧モータ１６が逆転駆動される。
【００１２】
次に、前述した排出コンベヤ１５の搬送距離を延長する場合について説明する。図１に示したように、前記排出コンベヤ１５の排出側に延長コンベヤ３０を設置する。該延長コンベヤ３０は第２の油圧モータ３１によって駆動され、その下面には車輪３２，３３が取り付けられて移動可能に形成されている。一方の車輪３２は伸縮自在なアーム３４と固定長のステー３５にて支持されており、アーム３４を伸縮して長さを変えることにより、延長コンベヤ３０の傾斜を任意に変更することができる。尚、３６は受け入れ用のホッパである。
【００１３】
延長コンベヤ３０に設置されている第２の油圧モータ３１は前記第１の油圧モータ１６と略同一の排油量に設定され、図２（ｂ）に示すように、予め一方の油圧ライン３７の一端に油圧カプラ（雄側）３９ａを装着し、他方の油圧ライン３８の他端に油圧カプラ（雌側）３９ｂを装着してある。この油圧カプラ３９ａ，３９ｂを使用して、後述するように、破砕機１０に設けた排出コンベヤ１５の油圧回路から圧油を供給できるようにしてある。
【００１４】
図３は延長コンベヤ３０を設置したときの油圧回路図であり、図２（ａ）に示した第１の油圧モータ１６の油圧回路と同一構成部分については同一符号を付してその説明を省略する。延長コンベヤ３０を設置する場合は、前述した油圧ライン２１の油圧カプラ２３を一旦離脱し、一方の油圧カプラ（雌側）２３ｂに油圧ライン３７の一端に設けた油圧カプラ（雄側）３９ａを接続し、他方の油圧カプラ（雄側）２３ａに油圧ライン３８の他端に設けた油圧カプラ（雌側）３９ｂを接続する。従って、油圧カプラ２３ａ，３９ｂ及び２３ｂ，３９ａを介して、第１の油圧モータ１６と第２の油圧モータ３１とが直列に接続される。
【００１５】
斯くして、オペレータの操作に基づきコントローラや操作スイッチ（何れも図示せず）からの信号で、前記方向制御弁１９の一方のソレノイド２４が励磁されば、前記方向制御弁１９が中立位置から（イ）位置に切り替わり、油圧ポンプ１８から吐出された圧油が油圧ライン２０に供給されて、第１の油圧モータ１６が正転駆動される。第１の油圧モータ１６を通過した圧油は、油圧カプラ２３ａ，３９ｂの接続を介して油圧ライン３７に流入し、第２の油圧モータ３１が正転駆動される。第２の油圧モータ３１を通過した圧油は、油圧カプラ３９ａ，２３ｂの接続を介して油圧ライン２１に流入し、方向制御弁１９を通過してタンク２２に戻される。
【００１６】
これに対して、前記方向制御弁１９の他方のソレノイド２５が励磁されれば、前記方向制御弁１９が中立位置から（ロ）位置に切り替わり、油圧ポンプ１８から吐出された圧油が油圧ライン２１に供給され、油圧カプラ２３ｂ，３９ａの接続を介して油圧ライン３７に流入し、第２の油圧モータ３１が逆転駆動される。第２の油圧モータ３１を通過した圧油は、油圧カプラ３９ｂ，２３ａの接続を介して第１の油圧モータ１６に供給され、第１の油圧モータ１６が逆転駆動される。第１の油圧モータ１６を通過した圧油は油圧ライン２０に流入し、方向制御弁１９を通過してタンク２２に戻される。
【００１７】
このように、延長コンベヤ３０を使用する際は、油圧カプラ２３ａ，３９ｂ及び２３ｂ，３９ａを介して、第１の油圧モータ１６と第２の油圧モータ３１とを直列に接続するので、破砕機１０に搭載した排出コンベヤ１５の油圧源である油圧ポンプ１８から吐出された圧油を利用することができ、延長コンベヤ３０に別の動力源を必要としない。従って、配管が簡素化されて延長コンベヤ３０の設置作業も簡単となり、コストダウンを図ることができる。
【００１８】
尚、本発明は、本発明の精神を逸脱しない限り種々の改変を為すことができ、そして、本発明が該改変されたものに及ぶことは当然である。
【００１９】
【発明の効果】
本発明は上記一実施の形態に詳述したように、請求項１記載の発明は、排出コンベヤを駆動する第１の油圧モータの側近に油圧カプラを介装して油圧ラインを脱着自在にするとともに、延長コンベヤを駆動する第２の油圧モータの油圧ラインの端末に油圧カプラを装着してある。従って、排出コンベヤ側の油圧カプラを離脱して延長コンベヤ側の夫々の油圧カプラを接続することにより、排出コンベヤの油圧源を延長コンベヤに対して簡単に動力を供給することができる。油圧カプラは接続及び離脱が極めて簡単であるため、延長コンベヤの設置作業が簡素化されてコストダウンに寄与できる。
【００２０】
請求項２記載の発明は、第１の油圧モータと第２の油圧モータとは略同一の排油量に設定され、油圧カプラを介して第１の油圧モータと第２の油圧モータとが直列に接続されるので、排出コンベヤと延長コンベヤの回転を同期させることができ、請求項１記載の発明の効果に加えて、双方のコンベヤの搬送速度が一致して作業性を向上できる。また、第１の油圧モータと第２の油圧モータとが直列に接続されるので、排出コンベヤ側と延長コンベヤ側の夫々の必要動力に応じてエネルギーが分配され、無駄がなく仕様効率を高めることができる等、正に諸種の効果を奏する発明である。
【図面の簡単な説明】
図は本発明の一実施の形態を示すものである。
【図１】本発明の一実施の形態を示し、自走式破砕機及び排出コンベヤと延長コンベヤの側面図。
【図２】（ａ）第１の油圧モータの油圧回路図。
（ｂ）第２の油圧モータの油圧回路図。
【図３】延長コンベヤを設置したときの油圧回路図。
【符号の説明】
１０        自走式破砕機
１５        排出コンベヤ
１６        第１の油圧モータ
１８        油圧ポンプ
２０，２１              油圧ライン
２３，２３ａ，２３ｂ    油圧カプラ
３０        延長コンベヤ
３１        第２の油圧モータ
３７                    油圧ライン
３９，３９ａ，３９ｂ    油圧カプラ
【図１】
2004150149.tif 000003
【図２】
2004150149.tif 000004
【図３】
2004150149.tif 000005